【手続補正書】
【提出日】平成27年7月9日(2015.7.9)
【手続補正１】
【補正対象書類名】特許請求の範囲
【補正対象項目名】全文
【補正方法】変更
【補正の内容】
【特許請求の範囲】
【請求項１】
コアピンアセンブリであって、
第１の端部、第２の端部、該両端部を接続する第１のコアピン本体部、及び前記第１のコアピン本体部に設けられた少なくとも１つの結合要素を有する第１のコアピンであって、前記少なくとも１つの結合要素が、前記第１のコアピン本体部の前記第１の端部と前記第２の端部との間に位置する、該第１のコアピンと、
前記第１のコアピン本体部に設けられた前記結合要素に結合可能な結合端部、第２の端部、及び該両端部を接続する第２のコアピン本体部を有する少なくとも１つの第２のコアピンとを含み、
前記少なくとも１つの第２のコアピンを、前記第１のコアピン本体部の前記第１の端部と前記第２の端部との間に位置する前記結合要素において前記第１のコアピンに着脱自在に結合させて分枝式構造体を形成することができるように構成したことを特徴とするコアピンアセンブリ。
【請求項２】
請求項１に記載のコアピンアセンブリであって、
結合端部、第２の端部、及び該両端部を接続する第３のコアピン本体部を有する少なくとも１つの第３のコアピンをさらに含み、
前記第２のコアピン本体部が、前記少なくとも１つの第３のコアピンの前記結合端部に結合可能な、前記第２のコアピン本体部の前記第１の端部と前記第２の端部との間に位置する少なくとも１つの結合要素を有し、かつ
前記少なくとも１つの第２のコアピンを、前記第１のコアピン本体部の前記第１の端部と前記第２の端部との間に位置する前記結合要素において前記第１のコアピンに着脱自在に結合させ、かつ前記少なくとも１つの第３のコアピンを、前記第２のコアピン本体部の前記第１の端部と前記第２の端部との間に位置する前記結合要素において前記第２のコアピンに着脱自在に結合させて分枝式構造体を形成することができるように構成したことを特徴とするコアピンアセンブリ。
【請求項３】
請求項２に記載のコアピンアセンブリであって、
当該コアピンアセンブリが、二又型分枝式構造体、単軸型分枝式構造体、または仮軸型分枝式構造体の形態をとることを特徴とするコアピンアセンブリ。
【請求項４】
請求項１に記載のコアピンアセンブリであって、
１以上の前記第１または第２のコアピンが非線形であることを特徴とするコアピンアセンブリ。
【請求項５】
請求項２に記載のコアピンアセンブリであって、
１以上の前記第１、第２または第３のコアピンが非線形であることを特徴とするコアピンアセンブリ。
【請求項６】
請求項１に記載のコアピンアセンブリであって、
少なくとも１つの前記第１または第２のコアピンがプラスチック製であることを特徴とするコアピンアセンブリ。
【請求項７】
請求項２に記載のコアピンアセンブリであって、
１以上の前記第１、第２または第３のコアピンがプラスチック製であることを特徴とするコアピンアセンブリ。
【請求項８】
成形品内に分枝状チャンネルを形成するためのシステムであって、
成形チャンバを有する成形装置と、
前記成形チャンバ内に配置される分枝式コアピンアセンブリとを含み、
前記分枝式コアピンアセンブリが、
第１の端部、第２の端部、該両端部を接続する第１のコアピン本体部、及び前記第１のコアピン本体部に設けられた少なくとも１つの結合要素を有する第１のコアピンであって、前記少なくとも１つの結合要素が、前記第１のコアピン本体部の前記第１の端部と前記第２の端部との間に位置する、該第１のコアピンと、
前記第１のコアピン本体部に設けられた前記結合要素に結合可能な結合端部、第２の端部、及び該両端部を接続する第２のコアピン本体部を有する少なくとも１つの第２のコアピンとを含み、かつ
前記少なくとも１つの第２のコアピンを、前記第１のコアピン本体部の前記第１の端部と前記第２の端部との間に位置する前記結合要素において前記第１のコアピンに着脱自在に結合させて分枝式構造体を形成することができるように構成されており、
前記成形チャンバ内にプラスチックを注入して前記分枝式コアピンアセンブリの周囲に流し込むことによって成形品を形成し、前記プラスチックの固化後に前記成形品から前記分枝式コアピンアセンブリを除去することにより前記成形品内に分枝状チャンネルが画定されるようにしたことを特徴とするシステム。
【請求項９】
請求項８に記載のシステムであって、
前記分枝式コアピンアセンブリが、結合端部、第２の端部、及び該両端部を接続する第３のコアピン本体部を有する少なくとも１つの第３のコアピンをさらに含み、
前記第２のコアピン本体部が、前記少なくとも１つの第３のコアピンの前記結合端部に結合可能な、前記第２のコアピン本体部の前記第１の端部と前記第２の端部との間に位置する少なくとも１つの結合要素を有し、かつ
前記少なくとも１つの第２のコアピンを、前記第１のコアピン本体部の前記第１の端部と前記第２の端部との間に位置する前記結合要素において前記第１のコアピンに着脱自在に結合させ、かつ前記少なくとも１つの第３のコアピンを、前記第２のコアピン本体部の前記第１の端部と前記第２の端部との間に位置する前記結合要素において前記第２のコアピンに着脱自在に結合させて分枝式構造体を形成することができるように構成されたことを特徴とするシステム。
【請求項１０】
請求項８に記載のシステムであって、
前記分枝式コアピンアセンブリが、二又型分枝式構造体、単軸型分枝式構造体、または仮軸型分枝式構造体の形態をとることを特徴とするシステム。
【請求項１１】
請求項８に記載のシステムであって、
１以上の前記第１または第２のコアピンが非線形であることを特徴とするシステム。
【請求項１２】
請求項９に記載のシステムであって、
１つ以上の第１、第２または第３のコアピンが非線形であることを特徴とするシステム。
【請求項１３】
成形ワークピースであって、
プラスチック材料から作製される成形体と、
前記成形チャンバ内に配置される分枝式コアピンアセンブリとを含み、
前記分枝式コアピンアセンブリが、
第１の端部、第２の端部、該両端部を接続する第１のコアピン本体部、及び前記第１のコアピン本体部に設けられた少なくとも１つの結合要素を有する第１のコアピンであって、前記少なくとも１つの結合要素が、前記第１のコアピン本体部の前記第１の端部と前記第２の端部との間に位置する、該第１のコアピンと、
前記第１のコアピンの前記結合要素に結合可能な結合端部、第２の端部、及び該両端部を接続する第２のコアピン本体部を有する少なくとも１つの第２のコアピンとを含み、かつ
前記少なくとも１つの第２のコアピンを、前記第１のコアピン本体部の前記第１の端部と前記第２の端部との間に位置する前記結合要素において前記第１のコアピンに着脱自在に結合させて分枝式構造体を形成することができるように構成されており、
前記分枝式コアピンアセンブリによって、前記第１のコアピンの前記第１及び第２の端部及び前記少なくとも１つの第２のコアピンの前記第２の端部が前記成形体から延出する分枝式構造体が画定されるようにして、前記プラスチック材料で前記分枝式コアピンアセンブリを取り囲み、前記成形体から前記分枝式コアピンアセンブリを除去することにより、前記成形体内に１以上の第１のチャンネルと該第１のチャンネルから分枝した第２のチャンネルが画定されるようにしたことを特徴とする成形ワークピース。
【請求項１４】
請求項１３に記載の成形ワークピースであって、
前記分枝式コアピンアセンブリが、結合端部、第２の端部、及び該両端部を接続する第３のコアピン本体部を有する少なくとも１つの第３のコアピンをさらに含み、
前記第２のコアピン本体部が、前記少なくとも１つの第３のコアピンの前記結合端部に結合可能な、前記第２のコアピン本体部の前記第１の端部と前記第２の端部との間に位置する少なくとも１つの結合要素を有し、かつ
前記少なくとも１つの第２のコアピンを、前記第１のコアピン本体部の前記第１の端部と前記第２の端部との間に位置する前記結合要素において前記第１のコアピンに着脱自在に結合させ、かつ前記少なくとも１つの第３のコアピンを、前記第２のコアピン本体部の前記第１の端部と前記第２の端部との間に位置する前記結合要素において前記第２のコアピンに着脱自在に結合させて分枝式構造体を形成することができるように構成されており、
前記第１のコアピンの前記第１及び第２の端部、前記少なくとも１つの第２のコアピンの前記第２の端部、及び前記少なくとも１つの第３のコアピンの前記第２の端部が前記成形体から延出するようにし、前記成形体から前記分枝式コアピンアセンブリを除去することにより、前記成形体内に１以上の第１のチャンネル、該第１のチャンネルから分枝した１以上の第２のチャンネル、及び該第２のチャンネルから分枝した１以上の第３のチャンネルが画定されるようにしたことを特徴とする成形ワークピース。
【請求項１５】
請求項１４に記載の成形ワークピースであって、
前記分枝式コアピンアセンブリが、二又型分枝式構造体、単軸型分枝式構造体、または仮軸型分枝式構造体の形態をとることを特徴とする成形ワークピース。
【請求項１６】
請求項１３に記載の成形ワークピースであって、
１以上の前記第１または第２のコアピンが非線形であることを特徴とする成形ワークピース。
【請求項１７】
請求項１４に記載の成形ワークピースであって、
１以上の前記第１、第２または第３のコアピンが非線形であることを特徴とする成形ワークピース。